(57)【要約】【課題】    吸い込み口の周囲にブラシ毛を設けた電気掃除機の吸い込み口体であって、効率良くゴミ等を吸い込むことができるものを提供すること。【解決手段】  吸気管の端部に吸い込み口を有し、吸気管の外周であってその端部よりも上方の位置にブラシ毛台部が形成され、ブラシ毛台部には該ブラシ毛台部から吸気管の端部方向に該端部を越えて延びるブラシ毛が設けられ、且つブラシ毛はその根元から先端までの間のいずれかの部分で吸気管の外周に設けられた押圧部によって外側に撓むように押圧されている。【選択図】  図１
2009039442.tif 000002
【特許請求の範囲】
【請求項１】
吸気管の端部に吸い込み口を有し、吸気管の外周であってその端部よりも上方の位置にブラシ毛台部が形成され、ブラシ毛台部には該ブラシ毛台部から吸気管の端部方向に該端部を越えて延びるブラシ毛が設けられ、且つブラシ毛はその根元から先端までの間のいずれかの部分で吸気管の外周に設けられた押圧部によって外側に撓むように押圧されていることを特徴とする電気掃除機の吸い込み口体。
【発明の詳細な説明】
【技術分野】
【０００１】
本発明は、一般家庭で使用される電気掃除機の吸い込み口体に関する。
【背景技術】
【０００２】
電気掃除機の吸い込み口体の吸い込み口の周囲にブラシ毛を設けたものは存在する（例えば、特許文献１参照。）。
【特許文献１】特開２００７−１０５４１０号公報
【発明の開示】
【発明が解決しようとする課題】
【０００３】
本発明は、吸い込み口の周囲にブラシ毛を設けた電気掃除機の吸い込み口体であって、効率良くゴミ等を吸い込むことができるものを提供することを課題とする。
【０００４】
吸い込み口の周囲にブラシ毛を設けた電気掃除機の吸い込み口を使用するときは、吸気時に吸い込み空気の風圧によってブラシ毛が吸い込み口の中心方向に寄るために空気が十分に吸い込まれず、またゴミ等が寄り集まったブラシ毛の先端に絡まって効率的に掃除をすることができない虞がある。特に、柔らかいブラシ毛や長めのブラシ毛を取り付けたときにそのような不都合が生じる場合が多い。そこで本発明は吸気時に吸い込み空気の風圧を受けてもブラシ毛が吸い込み口の中心方向に寄りづらい吸い込み口体を提供しようとするものである。
【課題を解決するための手段】
【０００５】
本発明は、吸気管の端部に吸い込み口を有し、吸気管の外周であって端部よりも上方の位置にブラシ毛台部が形成され、ブラシ毛台部には該ブラシ毛台部から吸気管の端部方向に該端部を越えて延びるブラシ毛が設けられ、且つブラシ毛はその根元から先端までの間のいずれかの部分で吸気管の外周に設けられた押圧部によって外側に撓むように押圧されている構成である。
【発明の効果】
【０００６】
本発明は、ブラシ台から吸気管の端部を越えて延びるブラシ毛が、その根元から先端までの間のいずれかの部分で吸気管の外周に設けられた押圧部によって外側に撓むように押圧されている。したがって、吸気管の吸い込み口を一定の場所に止めて空気を吸い込むときは、押圧部の位置で外側に押圧されているブラシ毛の部分はそれよりも内方向に寄ることがない。また、ブラシ毛は押圧部により外側に撓んでいるので、押圧部の位置よりも先端方向のブラシ毛は外側に広がっている。そのために吸い込み空気の風圧によってブラシ毛が吸い込み口の中心方向にいくらか寄っても、吸い込み空気の流れが損なわれることがなく埃やゴミを吸うについて支障がない。
【０００７】
また、吸気管の吸い込み口を移動させながら空気を吸い込むときは、吸気管の移動方向側にあるブラシ毛は畳などとの摩擦でやや移動方向と反対側に撓むことはあっても、元々外側に撓んでいるために移動方向への撓みはわずかである。また、吸気管の移動方向の反対側にあるブラシ毛は畳などとの摩擦で移動方向と反対側に撓むが、その際押圧部から離れるように外側にやや大きく撓む。そのために、移動方向側にあるブラシ毛が移動方向と反対側に撓んでも、移動方向と反対側にあるブラシ毛はそれ以上に移動方向と反対側に撓むことになり、ブラシ毛によって吸い込み空気の流れが損なわれることがない。
【発明を実施するための最良の形態】
【０００８】
次に本発明の実施形態について説明する。図１に示すように吸い込み口体１は吸気管２を有し、その端部に吸い込み口３が設けられている。吸気管２の端部の外周にフランジ状の押圧部４が設けられている。押圧部４は吸い込み口１の端部よりも上方に設けられてもよい。吸気管２の外周５であって吸気管２の端部よりも上方にブラシ毛台６が設けられている。このブラシ毛台６は押圧部４よりも上方に設けられていなければならない。
【０００９】
図３は吸い込み口体１をその端部側から見た図であって、ブラシ毛７を設ける前の図である。ブラシ台６の下面８に複数の植毛穴９が設けられている。ブラシ毛７はこの植毛穴９に挿入され接着剤で固着される。図３に示すように、植毛穴９は押圧部４の外周よりも内側にやや食い込んでいる。この構成によって、図１或いは図２に示すようにブラシ毛７は押圧部４によって外側に撓むように押圧される。従来の吸い込み口体のブラシ毛は使用前においては押圧状態でなく、空気を吸い込むときに吸い込み空気によって吸い込み口の外周に押し付けられる構成である。これに対して、本発明は使用前において既に押圧部によって外側に撓むように押圧されている構成であり、使用時に吸い込み空気がブラシ毛に当たってブラシ毛がわずかに中央に寄ることがあっても元々外側に撓んで開いているから吸い込み口はブラシ毛で覆われず空気の流れを損なうことがない。押圧部４はブラシ毛７の長さの中ほどを押圧するように構成することが好ましいが、それよりもブラシ毛７の根元寄りを押圧するようにしてもよく、ブラシ毛７の先端寄りを押圧するようにしてもよい。露出しているブラシ毛７の長さは５ｃｍ〜１０ｃｍが好ましいがこの数値に限定されるものではない。
【００１０】
図４及び図５は他の実施例を示すものであって吸い込み口体１０の吸気管１１の断面が長円形に形成されている。吸気管１１の外周１２にブラシ台１３が設けられている。また、このブラシ台１３よりも下方の吸気管１４は端部に行くに従って徐々に外側に広がるように形成されている。そして、その下方の吸気管１４の端部の外周が押圧部１５である。下方の吸気管１４の端部に吸い込み口１６が形成されている。
【００１１】
図５は図４における吸い込み口体１０を其の端部側から見た図である。前述した実施形態と同様にブラシ台１３の下面１７に複数の植毛穴１８が設けられている。ブラシ毛１９はこの植毛穴１８に挿入され接着剤で固着される。植毛穴１８は押圧部１５の外周よりも内側にやや食い込んでいる。この構成によって、図４に示すようにブラシ毛１９は押圧部１５によって外側に撓むように押圧される。
【図面の簡単な説明】
【００１２】
【図１】本発明の断面図
【図２】本発明の正面図
【図３】ブラシ毛を植毛する前の吸い込み口体を端部側から見た図
【図４】他の実施例の断面図
【図５】図４におけるブラシ毛を植毛する前の吸い込み口体を端部側から見た図
【符号の説明】
【００１３】
１  吸い込み口体
２  吸気管
３  吸い込み口
４  押圧部
５  吸気管の外周
６  ブラシ毛台
７  ブラシ毛
８  ブラシ毛台の下面
９  植毛穴
１０  吸い込み口体
１１  吸気管
１２  吸気管の外周
１３  ブラシ台
１４  下方の吸気管
１５  押圧部
１６  吸い込み口
１７  ブラシ台の下面
１８  植毛穴
１９  ブラシ毛
【図１】
2009039442.tif 000003
【図２】
2009039442.tif 000004
【図３】
2009039442.tif 000005
【図４】
2009039442.tif 000006
【図５】
2009039442.tif 000007
【手続補正書】
【提出日】平成19年8月10日(2007.8.10)
【手続補正１】
【補正対象書類名】明細書
【補正対象項目名】００１２
【補正方法】変更
【補正の内容】
【００１２】
【図１】本発明のブラシ毛の一部を省略した断面図
【図２】本発明のブラシ毛の一部を省略した正面図
【図３】ブラシ毛を植毛する前の吸い込み口体を端部側から見た図
【図４】他の実施例のブラシ毛の一部を省略した断面図
【図５】図４におけるブラシ毛を植毛する前の吸い込み口体を端部側から見た図